(57)【特許請求の範囲】
【請求項１】
アプリケーションプログラムを記憶する記憶手段と、
画像を表示する表示手段と、
表示手段に表示する画像の設定に関する指示を入力するタッチパネルと、
タッチパネルに入力される指示を検出し、その検出結果に基づいて、指示内容を判別する判別手段と、
判別手段が判別した指示内容に基づいて、記憶手段に記憶されるアプリケーションプログラムのうち、実行すべきアプリケーションプログラムを識別する識別手段と、
判別手段が判別した指示内容に基づいて、表示手段に表示する画像の設定を調整して画像情報を作成する表示調整手段と、
表示調整手段が作成した画像情報を表示手段に供給し、表示手段に画像を表示させる表示制御手段とを含み、
表示調整手段は、表示手段の全画面サイズを表す記号である画面サイズ記号がタッチパネルに入力されて特定された、タッチパネル上の画面サイズ記号で囲まれる範囲内に、所望の表示位置を指示する記号である予め定める表示位置特定記号が入力されることによって、表示手段に対する画像の表示位置を調整し、
識別手段が識別したアプリケーションプログラムを実行したときに表示する識別したアプリケーションプログラムに関連する画像を、表示調整手段が調整した表示手段に対する表示位置に表示するように構成されることを特徴とする表示装置。
【請求項２】
アプリケーションプログラムを記憶する記憶手段と、
画像を表示する表示手段と、
表示手段に表示する画像の設定に関する指示を入力するタッチパネルと、
タッチパネルに入力される指示を検出し、その検出結果に基づいて、指示内容を判別する判別手段と、
判別手段が判別した指示内容に基づいて、記憶手段に記憶されるアプリケーションプログラムのうち、実行すべきアプリケーションプログラムを識別する識別手段と、
判別手段が判別した指示内容に基づいて、表示手段に表示する画像の設定を調整して画像情報を作成する表示調整手段と、
表示調整手段が作成した画像情報を表示手段に供給し、表示手段に画像を表示させる表示制御手段とを含み、
表示調整手段は、表示手段の全画面サイズを表す記号である画面サイズ記号がタッチパネルに入力されて特定された、タッチパネル上の画面サイズ記号で囲まれる範囲内に、所望の表示位置かつ表示サイズを指示する記号である予め定める表示位置範囲特定記号が入力されることによって、表示手段に対する画像の表示位置かつ表示サイズを調整し、
識別手段が識別したアプリケーションプログラムを実行したときに表示する識別したアプリケーションプログラムに関連する画像を、表示調整手段が調整した表示手段に対する表示位置かつ表示サイズで表示するように構成されることを特徴とする表示装置。
【請求項３】
識別手段は、記憶手段に記憶される各アプリケーションプログラムに対応する、アプリケーション選択を指示する記号であるアプリケーション選択記号がタッチパネルに入力されることによって、実行すべきアプリケーションプログラムを識別することを特徴とする請求項１または２に記載の表示装置。
【請求項４】
所望の表示位置かつアプリケーション選択を指示する予め定める記号が、タッチパネル上の前記画面サイズ記号で囲まれる範囲内に入力されることによって、識別手段が実行すべきアプリケーションプログラムを識別し、かつ表示調整手段が表示手段に対する画像の表示位置を調整することを特徴とする請求項１に記載の表示装置。
【請求項５】
所望の表示位置かつアプリケーション選択を指示する予め定める記号が、タッチパネル上の前記画面サイズ記号で囲まれる範囲内に入力されることによって、表示調整手段が表示手段に対する画像の表示位置を調整して特定した後、識別手段が実行すべきアプリケーションプログラムを識別することを特徴とする請求項４に記載の表示装置。
【請求項６】
所望の表示位置かつ表示サイズ、ならびにアプリケーション選択を指示する予め定める記号が、タッチパネル上の前記画面サイズ記号で囲まれる範囲内に入力されることによって、識別手段が実行すべきアプリケーションプログラムを識別し、かつ表示調整手段が表示手段に対する画像の表示位置かつ表示サイズを調整することを特徴とする請求項２に記載の表示装置。
【請求項７】
所望の表示位置かつ表示サイズ、ならびにアプリケーション選択を指示する予め定める記号が、タッチパネル上の前記画面サイズ記号で囲まれる範囲内に入力されることによって、表示調整手段が表示手段に対する画像の表示位置かつ表示サイズを調整して特定した後、識別手段が実行すべきアプリケーションプログラムを識別することを特徴とする請求項６に記載の表示装置。
【請求項８】
画像を表示する表示手段と、指示を入力するタッチパネルとを備える表示装置において、アプリケーションプログラムに関連する画像を表示手段に表示する表示方法であって、
表示手段に表示する画像の設定に関する指示をタッチパネルに入力する指示入力工程と、
指示入力工程で入力した指示を検出し、その検出結果に基づいて、指示内容を判別する判別工程と、
判別工程で判別した指示内容に基づいて、表示手段に表示する画像の設定を調整して画像情報を作成する表示調整工程と、
判別工程で判別した指示内容に基づいて、実行すべきアプリケーションプログラムを識別する識別工程と、
表示調整工程で作成した画像情報を検出して表示手段に画像を表示する表示工程とを含み、
表示調整工程では、表示手段の全画面サイズを表す記号である画面サイズ記号がタッチパネルに入力されて特定された、タッチパネル上の画面サイズ記号で囲まれる範囲内に、所望の表示位置を指示する記号である予め定める表示位置特定記号が入力されることによって、表示手段に対する画像の表示位置を調整し、
識別工程で識別したアプリケーションプログラムを実行したときに表示する識別したアプリケーションプログラムに関連する画像を、表示調整工程で調整した表示位置に表示するように構成されることを特徴とする表示方法。
【請求項９】
画像を表示する表示手段と、指示を入力するタッチパネルとを備える表示装置において、アプリケーションプログラムに関連する画像を表示手段に表示する表示方法であって、
表示手段に表示する画像の設定に関する指示をタッチパネルに入力する指示入力工程と、
指示入力工程で入力した指示を検出し、その検出結果に基づいて、指示内容を判別する判別工程と、
判別工程で判別した指示内容に基づいて、表示手段に表示する画像の設定を調整して画像情報を作成する表示調整工程と、
判別工程で判別した指示内容に基づいて、実行すべきアプリケーションプログラムを識別する識別工程と、
表示調整工程で作成した画像情報を検出して表示手段に画像を表示する表示工程とを含み、
表示調整工程では、表示手段の全画面サイズを表す記号である画面サイズ記号がタッチパネルに入力されて特定された、タッチパネル上の画面サイズ記号で囲まれる範囲内に、所望の表示位置かつ表示サイズを指示する記号である予め定める表示位置範囲特定記号が入力されることによって、表示手段に対する画像の表示位置かつ表示サイズを調整し、
識別工程で識別したアプリケーションプログラムを実行したときに表示する識別したアプリケーションプログラムに関連する画像を、表示調整工程で調整した表示位置かつ表示サイズで表示するように構成されることを特徴とする表示方法。
【発明の詳細な説明】
【技術分野】
【０００１】
本発明は、アプリケーションプログラムを実行して画像を表示する表示装置および表示方法に関する。
【背景技術】
【０００２】
液晶表示装置は、明るい環境であっても表示画像が鮮明であるため、スクリーンに投影して画像を表示するプロジェクタに代わり、プレゼンテーションなどに広く用いられている。また、プレゼンテーションに用いられる液晶表示装置においては、画像を表示する液晶パネルの表示面サイズが６４〜１００インチ型と大型化してきている。このような大型の液晶パネルを備える液晶表示装置に表示される画像を見ながら説明者がプレゼンテーションを行い、液晶パネル上に配置されたアイコンを操作する場合、説明者は、広い液晶パネル上に配置されるアイコンを探したり、アイコンを操作するために移動する必要があり、操作性が優れていなかった。
【０００３】
これらの問題点を解決するために、たとえば、特許文献１，２には、タッチパネルに指示を入力する簡単な操作で、メニューウィンドウなどを操作することができる技術が開示されている。特許文献１によると、指示入力ペンが入力ペンの接触位置を検出するディジタイザに接触した回数、接触後の静止回数、接触した状態での移動回数および移動後の静止回数を計測し、これらの計測値に応じてジェスチャを認識することで、ジェスチャと他の文字や図形とを区別して認識することができる。このようにして認識したジェスチャを使用して、テキストの編集等の操作を簡単に行うことができる。
【０００４】
また、特許文献２によると、タッチパネル上の任意の位置に手書き文字を入力することによって、入力した手書き文字に応じて認識ウィンドウが表示される。この認識ウィンドウは、入力された手書き文字の文字認識結果、認識結果の変更、認識結果の文字列による仮名漢字変換を行うためのウィンドウであり、認識結果、変換文字列候補の確定やキャンセルを手書き入力によって行うことができる。この認識ウィンドウを使用して、メニューウィンドウ等を表示する操作を行うことができる。
【０００５】
【特許文献１】特開平８−２８６８０７号公報
【特許文献２】特開２０００−１２３１１４号公報
【発明の開示】
【発明が解決しようとする課題】
【０００６】
しかしながら、特許文献１，２に開示される技術では、アプリケーションプログラムを実行して液晶パネルに画像を表示するとき、所望の表示サイズ、表示位置に画像を表示することができない。表示装置においては、表示画面は、たとえばＭｉｃｒｏｓｏｆｔ社のＯＳ（Operating System）である「Ｗｉｎｄｏｗｓ（登録商標）」によって制御されるため、アプリケーションプログラムを実行して表示される画像の表示サイズや表示位置は、前回にアプリケーションを閉じた状態が記憶されている。そのため、新たにアプリケーションプログラムを実行した場合には、所望の表示サイズや表示位置に画像が表示されない。
【０００７】
したがって本発明の目的は、アプリケーションプログラムを実行したときに、所望の状態に調整された画像を表示することができる表示装置および表示方法を提供することである。
【課題を解決するための手段】
【０００８】
本発明は、アプリケーションプログラムを記憶する記憶手段と、
画像を表示する表示手段と、
表示手段に表示する画像の設定に関する指示を入力するタッチパネルと、
タッチパネルに入力される指示を検出し、その検出結果に基づいて、指示内容を判別する判別手段と、
判別手段が判別した指示内容に基づいて、記憶手段に記憶されるアプリケーションプログラムのうち、実行すべきアプリケーションプログラムを識別する識別手段と、
判別手段が判別した指示内容に基づいて、表示手段に表示する画像の設定を調整して画像情報を作成する表示調整手段と、
表示調整手段が作成した画像情報を表示手段に供給し、表示手段に画像を表示させる表示制御手段とを含み、
表示調整手段は、表示手段の全画面サイズを表す記号である画面サイズ記号がタッチパネルに入力されて特定された、タッチパネル上の画面サイズ記号で囲まれる範囲内に、所望の表示位置を指示する記号である予め定める表示位置特定記号が入力されることによって、表示手段に対する画像の表示位置を調整し、
識別手段が識別したアプリケーションプログラムを実行したときに表示する識別したアプリケーションプログラムに関連する画像を、表示調整手段が調整した表示手段に対する表示位置に表示するように構成されることを特徴とする表示装置である。
【００１０】
また本発明は、アプリケーションプログラムを記憶する記憶手段と、
画像を表示する表示手段と、
表示手段に表示する画像の設定に関する指示を入力するタッチパネルと、
タッチパネルに入力される指示を検出し、その検出結果に基づいて、指示内容を判別する判別手段と、
判別手段が判別した指示内容に基づいて、記憶手段に記憶されるアプリケーションプログラムのうち、実行すべきアプリケーションプログラムを識別する識別手段と、
判別手段が判別した指示内容に基づいて、表示手段に表示する画像の設定を調整して画像情報を作成する表示調整手段と、
表示調整手段が作成した画像情報を表示手段に供給し、表示手段に画像を表示させる表示制御手段とを含み、
表示調整手段は、表示手段の全画面サイズを表す記号である画面サイズ記号がタッチパネルに入力されて特定された、タッチパネル上の画面サイズ記号で囲まれる範囲内に、所望の表示位置かつ表示サイズを指示する記号である予め定める表示位置範囲特定記号が入力されることによって、表示手段に対する画像の表示位置かつ表示サイズを調整し、
識別手段が識別したアプリケーションプログラムを実行したときに表示する識別したアプリケーションプログラムに関連する画像を、表示調整手段が調整した表示手段に対する表示位置かつ表示サイズで表示するように構成されることを特徴とする表示装置である。
【００１２】
また本発明は、識別手段は、記憶手段に記憶される各アプリケーションプログラムに対応する、アプリケーション選択を指示する記号であるアプリケーション選択記号がタッチパネルに入力されることによって、実行すべきアプリケーションプログラムを識別することを特徴とする。
【００１３】
また本発明は、所望の表示位置かつアプリケーション選択を指示する予め定める記号が、タッチパネル上の前記画面サイズ記号で囲まれる範囲内に入力されることによって、識別手段が実行すべきアプリケーションプログラムを識別し、かつ表示調整手段が表示手段に対する画像の表示位置を調整することを特徴とする。
【００１４】
また本発明は、所望の表示位置かつアプリケーション選択を指示する予め定める記号が、タッチパネル上の前記画面サイズ記号で囲まれる範囲内に入力されることによって、表示調整手段が表示手段に対する画像の表示位置を調整して特定した後、識別手段が実行すべきアプリケーションプログラムを識別することを特徴とする。
【００１５】
また本発明は、所望の表示位置かつ表示サイズ、ならびにアプリケーション選択を指示する予め定める記号が、タッチパネル上の前記画面サイズ記号で囲まれる範囲内に入力されることによって、識別手段が実行すべきアプリケーションプログラムを識別し、かつ表示調整手段が表示手段に対する画像の表示位置かつ表示サイズを調整することを特徴とする。
【００１６】
また本発明は、所望の表示位置かつ表示サイズ、ならびにアプリケーション選択を指示する予め定める記号が、タッチパネル上の前記画面サイズ記号で囲まれる範囲内に入力されることによって、表示調整手段が表示手段に対する画像の表示位置かつ表示サイズを調整して特定した後、識別手段が実行すべきアプリケーションプログラムを識別することを特徴とする。
【００１７】
また本発明は、画像を表示する表示手段と、指示を入力するタッチパネルとを備える表示装置において、アプリケーションプログラムに関連する画像を表示手段に表示する表示方法であって、
表示手段に表示する画像の設定に関する指示をタッチパネルに入力する指示入力工程と、
指示入力工程で入力した指示を検出し、その検出結果に基づいて、指示内容を判別する判別工程と、
判別工程で判別した指示内容に基づいて、表示手段に表示する画像の設定を調整して画像情報を作成する表示調整工程と、
判別工程で判別した指示内容に基づいて、実行すべきアプリケーションプログラムを識別する識別工程と、
表示調整工程で作成した画像情報を検出して表示手段に画像を表示する表示工程とを含み、
表示調整工程では、表示手段の全画面サイズを表す記号である画面サイズ記号がタッチパネルに入力されて特定された、タッチパネル上の画面サイズ記号で囲まれる範囲内に、所望の表示位置を指示する記号である予め定める表示位置特定記号が入力されることによって、表示手段に対する画像の表示位置を調整し、
識別工程で識別したアプリケーションプログラムを実行したときに表示する識別したアプリケーションプログラムに関連する画像を、表示調整工程で調整した表示位置に表示するように構成されることを特徴とする表示方法である。
【００１８】
また本発明は、画像を表示する表示手段と、指示を入力するタッチパネルとを備える表示装置において、アプリケーションプログラムに関連する画像を表示手段に表示する表示方法であって、
表示手段に表示する画像の設定に関する指示をタッチパネルに入力する指示入力工程と、
指示入力工程で入力した指示を検出し、その検出結果に基づいて、指示内容を判別する判別工程と、
判別工程で判別した指示内容に基づいて、表示手段に表示する画像の設定を調整して画像情報を作成する表示調整工程と、
判別工程で判別した指示内容に基づいて、実行すべきアプリケーションプログラムを識別する識別工程と、
表示調整工程で作成した画像情報を検出して表示手段に画像を表示する表示工程とを含み、
表示調整工程では、表示手段の全画面サイズを表す記号である画面サイズ記号がタッチパネルに入力されて特定された、タッチパネル上の画面サイズ記号で囲まれる範囲内に、所望の表示位置かつ表示サイズを指示する記号である予め定める表示位置範囲特定記号が入力されることによって、表示手段に対する画像の表示位置かつ表示サイズを調整し、
識別工程で識別したアプリケーションプログラムを実行したときに表示する識別したアプリケーションプログラムに関連する画像を、表示調整工程で調整した表示位置かつ表示サイズで表示するように構成されることを特徴とする表示方法である。
【発明の効果】
【００１９】
本発明によれば、表示手段の全画面サイズを表す記号である画面サイズ記号がタッチパネルに入力されて特定された、タッチパネル上の画面サイズ記号で囲まれる範囲内に、表示手段に対する画像の表示位置に関する指示である予め定める表示位置特定記号を入力すると、識別手段が記憶手段に記憶されるアプリケーションプログラムのうち、実行すべきアプリケーションプログラムを識別し、表示調整手段がアプリケーションプログラムを実行したときに表示する画像の表示位置を調整して画像情報を作成する。そして、表示制御手段が、表示調整手段が作成した画像情報を表示手段に供給し、表示手段が画像を表示するので、アプリケーションプログラムを実行したときに、タッチパネルに入力して指示した所望の表示位置に画像を表示することができる。
【００２０】
また、表示調整手段は、予め定める表示位置特定記号がタッチパネルに入力されることによって、表示手段に対する画像の表示位置を調整する。そのため、表示位置に関する指示とその他の指示とを区別することができるので、表示調整手段はタッチパネルに入力される指示に基づいて、確実に表示手段に対する画像の表示位置を調整することができる。
【００２１】
また本発明によれば、表示手段の全画面サイズを表す記号である画面サイズ記号がタッチパネルに入力されて特定された、タッチパネル上の画面サイズ記号で囲まれる範囲内に、表示手段に対する画像の表示位置かつ表示サイズに関する指示である予め定める表示位置範囲特定記号を入力すると、識別手段が記憶手段に記憶されるアプリケーションプログラムのうち、実行すべきアプリケーションプログラムを識別し、表示調整手段がアプリケーションプログラムを実行したときに表示する画像の表示位置かつ表示サイズを調整して画像情報を作成する。そして、表示制御手段が、表示調整手段が作成した画像情報を表示手段に供給し、表示手段が画像を表示するので、アプリケーションプログラムを実行したときに、タッチパネルに入力して指示した所望の表示位置かつ表示サイズで画像を表示することができる。
【００２２】
また、表示調整手段は、予め定める表示位置範囲特定記号がタッチパネルに入力されることによって、表示手段に対する画像の表示位置かつ表示サイズを調整する。そのため、表示位置かつ表示サイズに関する指示とその他の指示とを区別することができるので、表示調整手段はタッチパネルに入力される指示に基づいて、確実に表示手段に対する画像の表示位置かつ表示サイズを調整することができる。
【００２３】
また本発明によれば、識別手段は、記憶手段に記憶される各アプリケーションプログラムに対応する、それぞれ異なったアプリケーション選択記号がタッチパネルに入力されることによって、実行すべきアプリケーションプログラムを識別する。そのため、複数のアプリケーションプログラムを実行する場合においても、誤認識してアプリケーションプログラムが選択されるのを防止することができる。
【００２４】
また本発明によれば、所望の表示位置かつアプリケーション選択を指示する予め定める記号が、タッチパネル上の画面サイズ記号で囲まれる範囲内に入力されることによって、識別手段が実行すべきアプリケーションプログラムを識別し、かつ表示調整手段が表示手段に対する画像の表示位置を調整する。１つの記号を入力することで、アプリケーションプログラムの選択と表示位置の指示を行うことができるので、操作を簡単化することができる。
【００２５】
また本発明によれば、所望の表示位置かつアプリケーション選択を指示する予め定める記号が、タッチパネル上の画面サイズ記号で囲まれる範囲内に入力されることによって、表示調整手段が表示手段に対する画像の表示位置を調整して特定した後、識別手段が実行すべきアプリケーションプログラムを識別する。そのため、アプリケーションプログラムを識別して特定した後、画像の表示位置を調整して特定する場合に比べて、アプリケーションプログラムを実行したときに、確実に所望の表示位置に画像を表示することができる。
【００２６】
また本発明によれば、所望の表示位置かつ表示サイズ、ならびにアプリケーション選択を指示する予め定める記号が、タッチパネル上の画面サイズ記号で囲まれる範囲内に入力されることによって、識別手段が実行すべきアプリケーションプログラムを識別し、さらには表示調整手段が表示手段に対する画像の表示位置かつ表示サイズを調整する。１つの記号を入力することで、表示位置かつ表示サイズ、ならびにアプリケーションプログラムの選択の指示を行うことができるので、操作を簡単化することができる。
【００２７】
また本発明によれば、所望の表示位置かつ表示サイズ、ならびにアプリケーション選択を指示する予め定める記号が、タッチパネル上の画面サイズ記号で囲まれる範囲内に入力されることによって、表示調整手段が表示手段に対する画像の表示位置かつ表示サイズを調整して特定した後、識別手段が実行すべきアプリケーションプログラムを識別する。そのため、アプリケーションプログラムを識別して特定した後、画像の表示位置かつ表示サイズを調整して特定する場合に比べて、アプリケーションプログラムを実行したときに、確実に所望の表示位置かつ表示サイズで画像を表示することができる。
【００２８】
また本発明によれば、画像を表示する表示手段と、指示を入力するタッチパネルとを備える表示装置において、アプリケーションプログラムに関連する画像を表示手段に表示する表示方法である。そして、指示入力工程では、表示手段の全画面サイズを表す記号である画面サイズ記号がタッチパネルに入力されて特定された、タッチパネル上の画面サイズ記号で囲まれる範囲内に、表示手段に表示する画像の表示位置に関する指示である表示位置特定記号を入力する。次に、判別工程では、指示入力工程で入力した指示を検出し、その検出結果に基づいて指示内容を判別する。次に、表示調整工程では、判別工程で判別した指示内容に基づいて、表示手段に表示する画像の表示位置を調整した画像情報を作成する。次に、識別工程では、判別工程で判別した指示内容に基づいて、実行すべきアプリケーションプログラムを識別する。そして、表示工程では、表示調整工程で作成した画像情報を検出して表示手段に画像を表示するので、アプリケーションプログラムを実行したときに、指示入力工程で入力した所望の表示位置に画像を表示することができる。
【００２９】
また本発明によれば、画像を表示する表示手段と、指示を入力するタッチパネルとを備える表示装置において、アプリケーションプログラムに関連する画像を表示手段に表示する表示方法である。そして、指示入力工程では、表示手段の全画面サイズを表す記号である画面サイズ記号がタッチパネルに入力されて特定された、タッチパネル上の画面サイズ記号で囲まれる範囲内に、表示手段に表示する画像の表示位置かつ表示サイズに関する指示である表示位置範囲特定記号を入力する。次に、判別工程では、指示入力工程で入力した指示を検出し、その検出結果に基づいて指示内容を判別する。次に、表示調整工程では、判別工程で判別した指示内容に基づいて、表示手段に表示する画像の表示位置かつ表示サイズを調整した画像情報を作成する。次に、識別工程では、判別工程で判別した指示内容に基づいて、実行すべきアプリケーションプログラムを識別する。そして、表示工程では、表示調整工程で作成した画像情報を検出して表示手段に画像を表示するので、アプリケーションプログラムを実行したときに、指示入力工程で入力した所望の表示位置かつ表示サイズで画像を表示することができる。
【発明を実施するための最良の形態】
【００３０】
図１は、表示装置１００の構成を示す斜視図である。また図２は、タッチパネル２の構成を示す図である。
【００３１】
表示装置１００は、Ｍｉｃｒｏｓｏｆｔ社のＯＳである「Ｗｉｎｄｏｗｓ（登録商標）」などのパーソナルコンピュータ用ＯＳが備える基本性能であるウィンドウ表示機能を用いて、アプリケーションプログラムを実行したときにウィンドウ画面を表示する装置である。画像を表示する表示装置としては、液晶ディスプレイ（Liquid Crystal Display、略称ＬＣＤ）、プラズマディスプレイ（Plasma Display Panel、略称ＰＤＰ）、表面電子放出型フィールドエミッションディスプレイ（Surface conduction Electron emitter
Display、略称ＳＥＤ）などのフラットパネルディスプレイ（Flat Panel Display
、略称ＦＰＤ）を挙げることができる。本発明の実施の一形態である表示装置１００は、ＬＣＤである。
【００３２】
表示装置１００は、液晶パネル１と、タッチパネル２と、表示画像制御部（不図示）とを含んで構成される。液晶パネル１は、矩形板状に形成され、薄膜トランジスタ回路とカラーフィルターとを形成したガラス基板の間に液晶材料が封入される液晶セルであり、画像を表示する表示面を有する表示手段である。本実施の形態では、液晶パネル１の表示面のサイズは、６４〜１００インチ型という大型である。
【００３３】
液晶パネル１は、縁辺を覆うように枠状部材で補強されており、その枠状部材に台座３が接続されて液晶パネル１を支持し、床面に配置できるようになっている。台座３は、基台３ａと２つの脚部３ｂとを含んで構成され、脚部３ｂが液晶パネル１の縁辺を覆う枠状部材に接続されて鉛直方向下方に延びて基台３ａと接続し、基台３ａが床面と接触するように形成される。また、基台３ａは移動用車輪６を備えて、表示装置１００の移動が容易に行えるようになっている。
【００３４】
また、表示装置１００は、周辺機器であるスキャナ４とプリンタ５とを備え、スキャナ４は２つの脚部３ｂの間に設置され、プリンタ５は基台３ａの上面に設置される。スキャナ４は、挿入開口部４ａから原稿が挿入され、排出開口部４ｂから原稿が排出される動作中に原稿上の画像を読み取る装置である。プリンタ５は、液晶パネル１に表示される画像などを印刷する装置である。また、表示装置１００は、タッチパネル２に指示を入力する操作部材であるタッチペン（不図示）とマウス（不図示）とを備える。
【００３５】
タッチパネル２は、液晶パネル１に表示する画像の設定に関する指示を入力する部材であり、タッチパネル２上で、操作部材であるタッチペンの先端で押圧操作あるいは筆記操作することによって、指示を入力する。タッチパネル２は、矩形板状に形成されたガラス等から成る透明な透過部材２３を含んで構成され、液晶パネル１の表示面を覆うように一体的に形成される。
【００３６】
タッチパネル２が有する透過部材２３の表面には、図２に示すように、透過部材２３の４辺の内方周囲に、タッチペンによる押圧位置を検出するためのＬＥＤ（Light Emitting
Diode）アレイ２０とフォトトランジスタアレイ２１とが設けられている。ＬＥＤアレイ２０は、透過部材２３の長辺の一方に対応したＸ方向ＬＥＤアレイ２０ａと、透過部材２３の短辺の一方に対応したＹ方向ＬＥＤアレイ２０ｂとを含む。また、フォトトランジスタアレイ２１は、透過部材２３の長辺の他方に対応したＸ方向フォトトランジスタアレイ２１ａと、透過部材２３の短辺の他方に対応したＹ方向フォトトランジスタアレイ２１ｂとを含む。また、隣接するＬＥＤアレイ同士あるいはフォトトランジスタアレイ同士の間隔は、０．５ｍｍに設定されている。
【００３７】
次に、タッチパネル２にタッチペンを用いて押圧操作あるいは筆記操作して指示を入力したときの、タッチパネル２上での文字表示方法について説明する。タッチペンの先端が透過部材２３の表面に触れると、触れた位置を通過するＬＥＤアレイ２０から発せられる光がタッチペンによって遮蔽され、ＬＥＤアレイ２０と対向する位置に配置されるフォトトランジスタアレイ２１に到達しなくなる。ＬＥＤアレイ２０が発する光が到達しなかったフォトトランジスタアレイ２１が配置される座標を、指定された座標として認識して、その座標情報を情報処理手段（不図示）に出力する。情報処理手段は、検出した座標の位置に所定のオブジェクトを表示する。オブジェクトとは、たとえば点画像である。タッチペンで透過部材２３の表面をなぞることによって、点画像のオブジェクトを連続的に表示することができ、所望する図形や文字を描くことができる。その他のオブジェクトとしては、直線、円形、三角形、四角形などの予め定められる定形図形であってもよい。
【００３８】
図３は、表示装置１００の電気的構成を示すブロック図である。表示装置１００は、前述した液晶パネル１、タッチパネル２以外に表示画像制御部１９を備える。表示画像制御部１９は、タッチパネル２に入力された指示に基づいて、液晶パネル１に表示する画像の設定を調整する。表示画像制御部１９は、判別手段１１と、識別手段１２と、表示調整手段１３と、表示制御手段であるＬＣＤコントローラ１４と、記憶手段であるメモリ１５およびＨＤＤ（Hard Disk Drive）１６とを含み、各手段は演算回路を有するＣＰＵ（
Central Processing Unit）１０によって統括的に制御される。
【００３９】
ＨＤＤ１６には、Ｍｉｃｒｏｓｏｆｔ社のワープロソフトである「Ｍｉｃｒｏｓｏｆｔ  Ｗｏｒｄ（登録商標）」、Ｍｉｃｒｏｓｏｆｔ社の表計算ソフトである「Ｍｉｃｒｏｓｏｆｔ  Ｅｘｃｅｌ（登録商標）」などのアプリケーションプログラムと、ＯＳであるＷｉｎｄｏｗｓ（登録商標）が記憶されている。メモリ１５には、液晶パネル１の全画面サイズを表す記号である画面サイズ記号、アプリケーション選択を指示する記号であるアプリケーション選択記号、表示位置を指示する記号である表示位置特定記号、表示位置かつ表示サイズを指示する記号である表示位置範囲特定記号などの、予め定める記号の形状データが記憶されている。
【００４０】
画面サイズ記号としては、他の記号と誤認識しないような記号であれば特に限定されず、たとえば、対角方向に１組のかぎ括弧が配置される記号などを挙げることができる。アプリケーション選択記号は、ＨＤＤ１６に記憶される各アプリケーションプログラムに対応して、それぞれ個別に関連付けてメモリ１５に記憶される。アプリケーション選択記号としては、他の記号と誤認識しないような記号であれば特に限定されず、たとえば、各アプリケーションプログラムの拡張子やアプリケーション名などの文字記号を挙げることができる。また、デスクトップ上に配置されるアプリケーションプログラムを示すアイコンもアプリケーション選択記号とすることができる。表示位置特定記号としては、他の記号と誤認識しないような記号であれば特に限定されず、たとえば、「×」、「○」、「△」、「□」などの定形図形を挙げることができる。
【００４１】
表示位置範囲特定記号としては、他の記号と誤認識しないような記号であれば特に限定されず、たとえば、「×」、「○」、「△」、「□」などの定形図形を挙げることができ、表示位置範囲特定記号においては、記号の大きさが表示サイズを表す情報となる。つまり、表示サイズは、たとえば、画面サイズ記号で特定される範囲のうち、表示位置範囲特定記号の占める割合に調整される。また、表示サイズは、たとえば、表示位置範囲特定記号の大きさに応じて、予め定める割合に調整されてもよい。
【００４２】
ＣＰＵ１０は、タッチパネル２に特定図形が入力されることや、メニューから指示入力モードへの切替えを示すタグが選択されることなどによって、指示入力モードへの移行が指示されたと判断する。このように指示入力モードに移行した状態で、ＣＰＵ１０は、タッチパネル２に入力された指示に関する指示信号を受信し、その指示信号を判別手段１１に送信する。判別手段１１は、ＣＰＵ１０から送信された指示信号からタッチパネル２に入力された指示を検出し、その検出結果に基づいて、メモリ１５に記憶される予め定める形状データと比較して指示内容を判別し、判別結果をＣＰＵ１０に送信する。識別手段１２は、判別手段１１が判別した判別結果に基づいて、ＣＰＵ１０からアプリケーションプログラムを識別する指令が与えられることで、ＨＤＤ１６に記憶されるアプリケーションプログラムのうち、実行すべきアプリケーションプログラムを識別して特定し、その識別結果をＣＰＵ１０に送信する。
【００４３】
表示調整手段１３は、判別手段１１が判別した判別結果に基づいて、ＣＰＵ１０から画像の設定を調整する指令が与えられることで、液晶パネル１に表示する画像の設定を調整して画像情報を作成し、その画像情報をＣＰＵ１０に送信する。ＣＰＵ１０は、識別手段１２から送信された識別結果と、表示調整手段１３から送信された画像情報とに関する信号をＬＣＤコントローラ１４に送信する。ＬＣＤコントローラ１４は、ＣＰＵ１０から送信された識別結果と画像情報とに関する信号を液晶パネル１に供給し、液晶パネル１に画像を表示させる。以上のようにして、表示画像制御部１９は、タッチパネル２に入力された指示に基づいて、液晶パネル１に表示する画像の設定を調整して、液晶パネル１に画像を表示させる。
【００４４】
また、ＣＰＵ１０には、スキャナ４、プリンタ５、表示角度変更手段１７および撮影手段１８が接続されている。スキャナ４は、ＣＰＵ１０から画像読み取り指令が与えられることで、原稿上の画像を読み取る。プリンタ５は、ＣＰＵ１０から印刷する指令が与えられることで、液晶パネル１に表示される画像を印刷する。表示角度変更手段１７は、液晶パネル１の表示面の向きを変更する手段であり、ＣＰＵ１０から角度変更指令が与えられることで、表示面の向きを変更する。撮影手段１８は、たとえば、デジタルビデオカメラなどの動画および静止画を撮影する機能をもつ手段であり、ＣＰＵ１０から撮影指令が与えられることで、動画および静止画を撮影する。
【００４５】
図４は、本発明の第１の実施形態における、表示装置１００によってアプリケーションプログラムを実行したときに表示する画像の表示位置を指定して表示させる表示方法を説明する図である。また図５は、本発明の第１の実施形態における表示方法を示すフローチャートである。第１の実施形態における表示方法では、表示装置１００がＯＳであるＷｉｎｄｏｗｓ（登録商標）によって制御された状態で、アプリケーションプログラムを実行したときに、所望の表示位置に画像を表示させる作業が開始される。このとき、デスクトップ上には、ＨＤＤ１６に記憶される各アプリケーションプログラムに対応したアイコンが、アプリケーション選択記号として配置されている。また、メモリ１５には、液晶パネル１の全画面サイズを表す記号として対角方向に１組のかぎ括弧が配置される記号、表示位置特定記号として「×」および「○」の形状データが記憶されている。
【００４６】
まず、ステップｓ１では、図４（ａ）に示すように、タッチパネル２に画面サイズ記号として予め定められているかぎ括弧Ａをタッチペンで手書き入力する。手書き入力が完了すると、タッチパネル２上に配置される指示を確定するボタンである確定ボタン（不図示）をタッチペンで押圧する。これによって、指示信号がタッチパネル２からＣＰＵ１０に送信され、ＣＰＵ１０は、タッチパネル２から受信した指示信号を判別手段１１に送信する。
【００４７】
次に、ステップｓ２では、判別手段１１は、ＣＰＵ１０から送信された指示信号を検出し、メモリ１５に記憶される形状データと比較して指示内容を判別する。判別手段１１は、指示内容が画面サイズ記号で表される全画面サイズを示す指示であることを判別すると、その判別結果をＣＰＵ１０に送信して、ステップｓ３に進む。また、判別手段１１が指示内容を判別できない場合には、「再入力して下さい」などの指示の再入力を促すガイダンスウィンドウを表示する。このようなガイダンスウィンドウが表示されたときは、ステップｓ１を繰返す。このとき、タッチパネル２に画面サイズ記号であるかぎ括弧ＡおよびＢをタッチペンで手書き入力することによって、判別手段１１が全画面サイズを示す指示であることを判別しやすくなる。
【００４８】
次に、ステップｓ３では、図４（ｂ）に示すように、表示位置特定記号として予め定められている「×」を、タッチパネル２上のかぎ括弧Ａに囲まれる範囲内にタッチペンで手書き入力する。手書き入力が完了すると、確定ボタンをタッチペンで押圧する。これによって、指示信号がタッチパネル２からＣＰＵ１０に送信され、ＣＰＵ１０は、タッチパネル２から受信した指示信号を判別手段１１に送信する。次に、ステップｓ４では、判別手段１１は、ＣＰＵ１０から送信された指示信号を検出し、メモリ１５に記憶される形状データと比較して指示内容を判別する。判別手段１１は、指示内容が表示位置特定記号で表される表示位置を示す指示であることを判別すると、その判別結果をＣＰＵ１０に送信して、ステップｓ５に進む。また、判別手段１１が指示内容を判別できない場合には、「再入力して下さい」などの指示の再入力を促すガイダンスウィンドウを表示する。このようなガイダンスウィンドウが表示されたときは、ステップｓ３を繰返す。
【００４９】
次に、ステップｓ５では、表示調整手段１３は、判別手段１１が判別した判別結果に基づいて、ＣＰＵ１０から表示位置を調整する指令が与えられることで、アプリケーションプログラムを実行したときに表示する画像の表示位置を調整した画像情報を作成し、その画像情報をＣＰＵ１０に送信する。以上のように、表示調整手段１３は、予め定められる表示位置特定記号「×」がタッチパネル２に入力されることによって、画像の表示位置を調整する。そのため、表示位置に関する指示とその他の指示とを区別することができるので、表示調整手段１３はタッチパネル２に入力される指示に基づいて、確実に画像の表示位置を調整することができる。
【００５０】
次に、ステップｓ６では、図４（ｃ）に示すように、アプリケーション選択記号としてデスクトップ上に配置されているアイコンを、操作部材として表示装置１００に接続されるマウスでドラッグし、タッチパネル２上のかぎ括弧Ａに囲まれる範囲内にドロップする。ドロップすることによって指示信号がＣＰＵ１０に送信され、ＣＰＵ１０は指示信号を判別手段１１に送信する。次に、ステップｓ７では、判別手段１１は、ＣＰＵ１０から送信された指示信号を検出し、メモリ１５に記憶される形状データと比較して指示内容を判別する。判別手段１１は、指示内容がアプリケーション選択記号で表されるアプリケーション識別を示す指示であることを判別すると、その判別結果をＣＰＵ１０に送信して、ステップｓ８に進む。また、判別手段１１が指示内容を判別できない場合には、「再入力して下さい」などの指示の再入力を促すガイダンスウィンドウを表示する。このようなガイダンスウィンドウが表示されたときは、ステップｓ６を繰返す。
【００５１】
次に、ステップｓ８では、識別手段１２は、判別手段１１が判別した判別結果に基づいて、ＣＰＵ１０からアプリケーションプログラムを識別する指令が与えられることで、実行すべきアプリケーションプログラムを識別して特定し、その識別結果をＣＰＵ１０に送信する。以上のようにして、実行すべきアプリケーションプログラムおよび表示位置が特定された状態で、ステップｓ９に進む。
【００５２】
ステップｓ９では、アプリケーションプログラムを実行する。アプリケーションプログラムの実行は、たとえば、デスクトップ上のアイコンをマウスでダブルクリックすることによって行われる。このようにしてアプリケーションプログラムが実行されると、ＣＰＵ１０は、識別手段１２から送信された識別結果と、表示調整手段１３から送信された画像情報とに関する信号をＬＣＤコントローラ１４に送信する。次に、ステップｓ１０では、ＬＣＤコントローラ１４は、ＣＰＵ１０から送信された識別結果と画像情報とに関する信号を液晶パネル１に供給し、液晶パネル１に画像を表示させる。
【００５３】
このようにして、アプリケーションプログラムを実行したときに、タッチパネル２に入力して指示した所望の表示位置に画像を表示させることができる。また、表示装置１００の表示面サイズは、前述したように、６４〜１００インチ型という大型である。このような大型の表示面を備える表示装置に表示される画像を見ながら説明者がプレゼンテーションを行うとき、所望の表示位置に画像を表示させることができるので、説明者は、広い表示面上に表示された画像の表示位置を変更するために移動しながら操作する必要がなく、操作性を向上することができる。
【００５４】
また、複数のアプリケーションプログラムを実行する場合には、ステップｓ１〜ｓ１０までの操作を繰返すことによって、複数のアプリケーションプログラムを実行する場合においても、所望の表示位置に画像を表示させることができる。たとえば、図４（ｄ）に示すように、表示位置特定記号として予め定められている「○」を、タッチパネル２上のかぎ括弧Ａに囲まれる範囲内にタッチペンで手書き入力して所望の表示位置を設定する。その後、図４（ｅ）に示すように、アプリケーション選択記号としてデスクトップ上に配置されている別のアイコンを、マウスでドラッグし、タッチパネル２上のかぎ括弧Ａに囲まれる範囲内にドロップして実行すべきアプリケーションプログラムを特定する。
【００５５】
図６は、本発明の第１の実施形態における表示方法によって、表示装置１００に表示された実画像を示す図である。図６は、表示装置１００の表示面に「Ｍｉｃｒｏｓｏｆｔ  Ｗｏｒｄ」のウィンドウ画面が表示された状態で、新しく「Ｍｉｃｒｏｓｏｆｔ  Ｅｘｃｅｌ」のウィンドウ画面を所望の表示位置に表示させた場合の表示装置１００に表示された実画像である。
【００５６】
図６（ａ）に示すように、表示位置特定記号として予め定められている「×」がタッチパネル上のかぎ括弧に囲まれる範囲内にタッチペンで手書き入力されて、所望の表示位置が設定された状態で、アプリケーション選択記号としてデスクトップ上に配置されている「Ｍｉｃｒｏｓｏｆｔ  Ｅｘｃｅｌ」アイコンを、マウスでドラッグし、タッチパネル上のかぎ括弧に囲まれる範囲内にドロップして実行すべきアプリケーションプログラムを特定する。次に、図６（ｂ）に示すように、デスクトップ上の「Ｍｉｃｒｏｓｏｆｔ  Ｅｘｃｅｌ」アイコンをマウスでダブルクリックすることによって、アプリケーションプログラムが実行されて、「Ｍｉｃｒｏｓｏｆｔ  Ｅｘｃｅｌ」のウィンドウ画面を所望の表示位置に表示する。
【００５７】
図７は、本発明の第２の実施形態における、表示装置１００によってアプリケーションプログラムを実行したときに表示する画像の表示位置を指定して表示させる表示方法を説明する図である。第２の実施形態における表示方法では、所望の表示位置かつアプリケーション選択を指示する予め定める記号がタッチパネル２に入力されることによって、識別手段１２が実行すべきアプリケーションプログラムを識別し、かつ表示調整手段１３が表示位置を調整する。第２の実施形態における表示方法によれば、前述した第１の実施形態における表示方法に比べて、識別手段１２によるアプリケーションプログラムの識別と、表示調整手段１３による画像の表示位置の調整手順とが異なる以外は、第１の実施形態における表示方法と同様である。識別手段１２によるアプリケーションプログラムの識別と、表示調整手段１３による画像の表示位置の調整手順とを以下に記載する。
【００５８】
第２の実施形態における表示方法では、メモリ１５には、所望の表示位置かつアプリケーション選択を指示する記号の形状データが、各アプリケーションプログラムに対応して記憶されている。たとえば、「Ｅｘｃｅｌ」という文字記号は、アプリケーションプログラムである「Ｍｉｃｒｏｓｏｆｔ  Ｅｘｃｅｌ」を特定し、かつ「Ｍｉｃｒｏｓｏｆｔ  Ｅｘｃｅｌ」を実行したときのウィンドウ画面の表示位置を指示するための記号となる。また、メモリ１５には、液晶パネル１の全画面サイズを表す記号として対角方向に１組のかぎ括弧が配置される記号の形状データが記憶されている。
【００５９】
第２の実施形態における表示方法では、まず、図７（ａ）に示すように、タッチパネル２に画面サイズ記号として予め定められているかぎ括弧Ａをタッチペンで手書き入力し、全画面サイズを特定する。次に、図７（ｂ）に示すように、「Ｅｘｃｅｌ」という文字記号を、所望の表示位置に手書き入力し、確定ボタンをタッチペンで押圧する。これによって、所望の表示位置およびアプリケーション選択を指示する指示信号がタッチパネル２からＣＰＵ１０に送信され、ＣＰＵ１０は、タッチパネル２から受信した指示信号を判別手段１１に送信する。判別手段１１は、ＣＰＵ１０から送信された指示信号を検出し、所望の表示位置およびアプリケーション選択を示す指示であることを判別すると、その判別結果をＣＰＵ１０に送信する。次に、表示調整手段１３がＣＰＵ１０から表示位置を調整する指令が与えられて表示位置を調整し、かつ識別手段１２がＣＰＵ１０からアプリケーションプログラムを識別する指令が与えられてアプリケーションプログラムを識別する。
【００６０】
以上のように、１つの記号をタッチパネル２に入力することで、アプリケーションプログラムの選択と表示位置の指示を行うことができるので、指示入力操作を簡単化することができる。また、所望の表示位置およびアプリケーション選択を指示する予め定める記号がタッチパネル２に入力された場合、表示調整手段１３が表示位置を調整して特定した後、識別手段１２が実行すべきアプリケーションプログラムを識別するように構成することが好ましい。これによって、アプリケーションプログラムを識別して特定した後、表示位置を調整して特定する場合に比べて、アプリケーションプログラムを実行したときに、確実に所望の表示位置に画像を表示することができる。
【００６１】
また、アプリケーションプログラム以外に、メニューウィンドウを所望の表示位置に表示することもできる。ここでメニューウィンドウとは、表示装置１００の表示面の明るさや背景色などを変更するための補助ウィンドウである。このようなメニューウィンドウを所望の表示位置に表示させるために、メモリ１５には、メニューウィンドウの表示を指示する記号の形状データが記憶されている。たとえば、「Ｍｅｎｕ」という文字記号は、メニューウィンドウの表示位置を指示するための記号となる。図７（ｃ）に示すように、「Ｍｅｎｕ」という文字記号を、所望の表示位置に手書き入力することによって、表示調整手段１３が表示位置を調整し、かつ識別手段１２がメニューウィンドウであることを識別して、メニューウィンドウを所望の表示位置に表示することができる。
【００６２】
図８は、本発明の第３の実施形態における、表示装置１００によってアプリケーションプログラムを実行したときに表示する画像の表示位置かつ表示サイズを指定して表示させる表示方法を説明する図である。また図９は、本発明の第３の実施形態における表示方法を示すフローチャートである。第３の実施形態における表示方法では、所望の表示位置かつ表示サイズを指示する予め定める１つの記号がタッチパネル２に入力されることによって、表示調整手段１３が表示位置かつ表示サイズを調整する。
【００６３】
第３の実施形態における表示方法では、表示装置１００がＯＳであるＷｉｎｄｏｗｓ（登録商標）によって制御された状態で、アプリケーションプログラムを実行したときに、所望の表示位置かつ表示サイズに画像を表示させる作業が開始される。このとき、デスクトップ上には、ＨＤＤ１６に記憶される各アプリケーションプログラムに対応したアイコンが、アプリケーション選択記号として配置されている。また、メモリ１５には、液晶パネル１の全画面サイズを表す記号として対角方向に１組のかぎ括弧が配置される記号、表示位置範囲特定記号として「□」および「○」の形状データが記憶されている。表示位置範囲特定記号においては、前述したように、記号の大きさが表示サイズを表す情報となる。
【００６４】
まず、ステップａ１では、図８（ａ）に示すように、タッチパネル２に画面サイズ記号として予め定められているかぎ括弧Ａをタッチペンで手書き入力する。手書き入力が完了すると、タッチパネル２上に配置される指示を確定するボタンである確定ボタン（不図示）をタッチペンで押圧する。これによって、指示信号がタッチパネル２からＣＰＵ１０に送信され、ＣＰＵ１０は、タッチパネル２から受信した指示信号を判別手段１１に送信する。
【００６５】
次に、ステップａ２では、判別手段１１は、ＣＰＵ１０から送信された指示信号を検出し、メモリ１５に記憶される形状データと比較して指示内容を判別する。判別手段１１は、指示内容が画面サイズ記号で表される全画面サイズを示す指示であることを判別すると、その判別結果をＣＰＵ１０に送信して、ステップａ３に進む。また、判別手段１１が指示内容を判別できない場合には、「再入力して下さい」などの指示の再入力を促すガイダンスウィンドウを表示する。このようなガイダンスウィンドウが表示されたときは、ステップａ１を繰返す。このとき、タッチパネル２に画面サイズ記号であるかぎ括弧ＡおよびＢをタッチペンで手書き入力することによって、判別手段１１が全画面サイズを示す指示であることを判別しやすくなる。
【００６６】
次に、ステップａ３では、図８（ｂ）に示すように、表示位置範囲特定記号として予め定められている「□」を、タッチパネル２上のかぎ括弧Ａに囲まれる範囲内にタッチペンで手書き入力する。手書き入力が完了すると、確定ボタンをタッチペンで押圧する。これによって、指示信号がタッチパネル２からＣＰＵ１０に送信され、ＣＰＵ１０は、タッチパネル２から受信した指示信号を判別手段１１に送信する。次に、ステップａ４では、判別手段１１は、ＣＰＵ１０から送信された指示信号を検出し、メモリ１５に記憶される形状データと比較して指示内容を判別する。判別手段１１は、指示内容が表示位置範囲特定記号で表される表示位置かつ表示サイズを示す指示であることを判別すると、その判別結果をＣＰＵ１０に送信して、ステップａ５に進む。また、判別手段１１が指示内容を判別できない場合には、「再入力して下さい」などの指示の再入力を促すガイダンスウィンドウを表示する。このようなガイダンスウィンドウが表示されたときは、ステップａ３を繰返す。
【００６７】
次に、ステップａ５では、表示調整手段１３は、判別手段１１が判別した判別結果に基づいて、ＣＰＵ１０から表示位置かつ表示サイズを調整する指令が与えられることで、アプリケーションプログラムを実行したときに表示する画像の表示位置かつ表示サイズを調整した画像情報を作成し、その画像情報をＣＰＵ１０に送信する。以上のように、表示調整手段１３は、予め定められる表示位置範囲特定記号「□」がタッチパネル２に入力されることによって、画像の表示位置かつ表示サイズを調整する。そのため、表示位置かつ表示サイズに関する指示とその他の指示とを区別することができるので、表示調整手段１３はタッチパネル２に入力される指示に基づいて、確実に画像の表示位置かつ表示サイズを調整することができる。
【００６８】
次に、ステップａ６では、図８（ｃ）に示すように、アプリケーション選択記号としてデスクトップ上に配置されているアイコンを、操作部材として表示装置１００に接続されるマウスでドラッグし、タッチパネル２上のかぎ括弧Ａに囲まれる範囲内にドロップする。ドロップすることによって指示信号がＣＰＵ１０に送信され、ＣＰＵ１０は指示信号を判別手段１１に送信する。次に、ステップａ７では、判別手段１１は、ＣＰＵ１０から送信された指示信号を検出し、メモリ１５に記憶される形状データと比較して指示内容を判別する。判別手段１１は、指示内容がアプリケーション選択記号で表されるアプリケーション識別を示す指示であることを判別すると、その判別結果をＣＰＵ１０に送信して、ステップａ８に進む。また、判別手段１１が指示内容を判別できない場合には、「再入力して下さい」などの指示の再入力を促すガイダンスウィンドウを表示する。このようなガイダンスウィンドウが表示されたときは、ステップａ６を繰返す。
【００６９】
次に、ステップａ８では、識別手段１２は、判別手段１１が判別した判別結果に基づいて、ＣＰＵ１０からアプリケーションプログラムを識別する指令が与えられることで、実行すべきアプリケーションプログラムを識別して特定し、その識別結果をＣＰＵ１０に送信する。以上のようにして、実行すべきアプリケーションプログラム、表示位置かつ表示サイズが特定された状態で、ステップａ９に進む。
【００７０】
ステップａ９では、アプリケーションプログラムを実行する。アプリケーションプログラムの実行は、たとえば、デスクトップ上のアイコンをマウスでダブルクリックすることによって行われる。このようにしてアプリケーションプログラムが実行されると、ＣＰＵ１０は、識別手段１２から送信された識別結果と、表示調整手段１３から送信された画像情報とに関する信号をＬＣＤコントローラ１４に送信する。次に、ステップａ１０では、ＬＣＤコントローラ１４は、ＣＰＵ１０から送信された識別結果と画像情報とに関する信号を液晶パネル１に供給し、液晶パネル１に画像を表示させる。
【００７１】
このようにして、アプリケーションプログラムを実行したときに、タッチパネル２に入力して指示した所望の表示位置かつ表示サイズに画像を表示させることができる。また、表示装置１００の表示面サイズは、前述したように、６４〜１００インチ型という大型である。このような大型の表示面を備える表示装置に表示される画像を見ながら説明者がプレゼンテーションを行うとき、所望の表示位置かつ表示サイズで画像を表示させることができるので、説明者は、広い表示面上に表示された画像の表示位置および表示サイズを変更するために移動しながら操作する必要がなく、操作性を向上することができる。
【００７２】
また、複数のアプリケーションプログラムを実行する場合には、ステップａ１〜ａ１０までの操作を繰返すことによって、複数のアプリケーションプログラムを実行する場合においても、所望の表示位置かつ表示サイズに画像を表示させることができる。たとえば、図８（ｄ）に示すように、表示位置範囲特定記号として予め定められている「○」を、タッチパネル２上のかぎ括弧Ａに囲まれる範囲内にタッチペンで手書き入力して所望の表示位置かつ表示サイズを設定する。その後、図８（ｅ）に示すように、アプリケーション選択記号としてデスクトップ上に配置されている別のアイコンを、マウスでドラッグし、タッチパネル２上のかぎ括弧Ａに囲まれる範囲内にドロップして実行すべきアプリケーションプログラムを特定する。
【００７３】
図１０は、本発明の第４の実施形態における、表示装置１００によってアプリケーションプログラムを実行したときに表示する画像の表示位置かつ表示サイズを指定して表示させる表示方法を説明する図である。第４の実施形態における表示方法では、所望の表示位置かつ表示サイズ、ならびにアプリケーション選択を指示する予め定める記号がタッチパネル２に入力されることによって、識別手段１２が実行すべきアプリケーションプログラムを識別し、さらには表示調整手段１３が表示位置かつ表示サイズを調整する。第４の実施形態における表示方法によれば、前述した第３の実施形態における表示方法に比べて、識別手段１２によるアプリケーションプログラムの識別と、表示調整手段１３による画像の表示位置かつ表示サイズの調整手順とが異なる以外は、第３の実施形態における表示方法と同様である。識別手段１２によるアプリケーションプログラムの識別と、表示調整手段１３による画像の表示位置かつ表示サイズの調整手順とを以下に記載する。
【００７４】
第４の実施形態における表示方法では、メモリ１５には、所望の表示位置かつ表示サイズ、ならびにアプリケーション選択を指示する記号の形状データが、各アプリケーションプログラムに対応して記憶されている。たとえば、「Ｅｘｃｅｌ」という文字記号は、アプリケーションプログラムである「Ｍｉｃｒｏｓｏｆｔ  Ｅｘｃｅｌ」を特定し、さらには「Ｍｉｃｒｏｓｏｆｔ  Ｅｘｃｅｌ」を実行したときのウィンドウ画面の表示位置かつ表示サイズを指示するための記号となる。このとき、記号の大きさが表示サイズを表す情報となる。また、メモリ１５には、液晶パネル１の全画面サイズを表す記号として対角方向に１組のかぎ括弧が配置される記号の形状データが記憶されている。
【００７５】
第４の実施形態における表示方法では、まず、図１０（ａ）に示すように、タッチパネル２に画面サイズ記号として予め定められているかぎ括弧Ａをタッチペンで手書き入力し、全画面サイズを特定する。次に、図１０（ｂ）に示すように、「Ｅｘｃｅｌ」という文字記号を、所望の表示位置かつ表示サイズで手書き入力し、確定ボタンをタッチペンで押圧する。これによって、所望の表示位置かつ表示サイズ、ならびにアプリケーション選択を指示する指示信号がタッチパネル２からＣＰＵ１０に送信され、ＣＰＵ１０は、タッチパネル２から受信した指示信号を判別手段１１に送信する。判別手段１１は、ＣＰＵ１０から送信された指示信号を検出し、所望の表示位置かつ表示サイズ、ならびにアプリケーション選択を示す指示であることを判別すると、その判別結果をＣＰＵ１０に送信する。次に、表示調整手段１３がＣＰＵ１０から表示位置かつ表示サイズを調整する指令が与えられて表示位置かつ表示サイズを調整し、さらには識別手段１２がＣＰＵ１０からアプリケーションプログラムを識別する指令が与えられてアプリケーションプログラムを識別する。
【００７６】
以上のように、１つの記号をタッチパネル２に入力することで、アプリケーションプログラムの選択と表示位置かつ表示サイズの指示を行うことができるので、指示入力操作を簡単化することができる。また、所望の表示位置かつ表示サイズ、ならびにアプリケーション選択を指示する予め定める記号がタッチパネル２に入力された場合、表示調整手段１３が表示位置かつ表示サイズを調整して特定した後、識別手段１２が実行すべきアプリケーションプログラムを識別するように構成することが好ましい。これによって、アプリケーションプログラムを識別して特定した後、表示位置かつ表示サイズを調整して特定する場合に比べて、アプリケーションプログラムを実行したときに、確実に所望の表示位置かつ表示サイズに画像を表示することができる。
【００７７】
また、アプリケーションプログラム以外に、メニューウィンドウを所望の表示位置かつ表示サイズで表示することもできる。メニューウィンドウを所望の表示位置かつ表示サイズで表示させるために、メモリ１５には、メニューウィンドウの表示位置かつ表示サイズを指示する記号の形状データが記憶されている。たとえば、「Ｍｅｎｕ」という文字記号は、メニューウィンドウの表示位置かつ表示サイズを指示するための記号となる。このとき、記号の大きさが表示サイズを示す情報となる。図１０（ｃ）に示すように、「Ｍｅｎｕ」という文字記号を、所望の表示位置かつ表示サイズで手書き入力することによって、表示調整手段１３が表示位置かつ表示サイズを調整し、さらには識別手段１２がメニューウィンドウであることを識別して、メニューウィンドウを所望の表示位置かつ表示サイズで表示することができる。
【図面の簡単な説明】
【００７８】
【図１】表示装置１００の構成を示す斜視図である。
【図２】タッチパネル２の構成を示す図である。
【図３】表示装置１００の電気的構成を示すブロック図である。
【図４】本発明の第１の実施形態における、表示装置１００によってアプリケーションプログラムを実行したときに表示する画像の表示位置を指定して表示させる表示方法を説明する図である。
【図５】本発明の第１の実施形態における表示方法を示すフローチャートである。
【図６】本発明の第１の実施形態における表示方法によって、表示装置１００に表示された実画像を示す図である。
【図７】本発明の第２の実施形態における、表示装置１００によってアプリケーションプログラムを実行したときに表示する画像の表示位置を指定して表示させる表示方法を説明する図である。
【図８】本発明の第３の実施形態における、表示装置１００によってアプリケーションプログラムを実行したときに表示する画像の表示位置かつ表示サイズを指定して表示させる表示方法を説明する図である。
【図９】本発明の第３の実施形態における表示方法を示すフローチャートである。
【図１０】本発明の第４の実施形態における、表示装置１００によってアプリケーションプログラムを実行したときに表示する画像の表示位置かつ表示サイズを指定して表示させる表示方法を説明する図である。
【符号の説明】
【００７９】
１  液晶パネル
２  タッチパネル
１０  ＣＰＵ
１１  判別手段
１２  識別手段
１３  表示調整手段
１４  ＬＣＤコントローラ
１５  メモリ
１６  ＨＤＤ
２０  ＬＥＤアレイ
２１  フォトトランジスタアレイ
１００  表示装置
【図１】
0004625831.tif 000002
【図２】
0004625831.tif 000003
【図３】
0004625831.tif 000004
【図４】
0004625831.tif 000005
【図５】
0004625831.tif 000006
【図７】
0004625831.tif 000007
【図８】
0004625831.tif 000008
【図９】
0004625831.tif 000009
【図１０】
0004625831.tif 000010
【図６】
0004625831.tif 000011